【事件の表示】
　平成　９年特許願第５３５４５１号「多片吸収体を組み立てる方法」拒絶査定不服審判事件〔平成　９年１０月　９日国際公開、ＷＯ９７／３６５６４、平成１２年　８月１５日国内公表、特表２０００−５１０３５６〕について、次のとおり審決する。
【結　論】
　本件審判の請求は、成り立たない。
【理　由】
１．手続の経緯・本願発明
　本願は、１９９７年３月２５日（パリ条約による優先権主張外国庁受理１９９６年４月３日、米国）を国際出願日とする出願であって、その請求項１乃至１０に係る発明は、平成１５年９月１１日付手続補正書により補正された明細書及び図面の記載からみて、その特許請求の範囲の請求項１乃至１０に記載された事項により特定されるとおりのものと認められるところ、請求項１には以下のとおり記載されている。
「(ａ)トップシートと、トップシートに接続されているバックシートと、トップシートとバックシートの間に配置された吸収性コアと、を備えるシャーシを第１の速度Ｖ１で第１のアセンブリーステーションへと供給するステップ；
　(ｂ)耳ウエブを第１の速度Ｖ１よりも小さな第２の速度Ｖ２で第２のアセンブリーステーションへと供給するステップ；
　(ｃ)固定部材基板を第２の速度Ｖ２よりも小さな第３の速度Ｖ３で第２のアセンブリーステーションへと供給するステップ；
　(ｄ)固定部材基板を個々の固定部材へと切断するステップ；
　(ｅ)第２のアセンブリーステーションにおいて、個々の固定部材を耳ウエブに接合するステップ；
　(ｆ)耳ウエブを個々の固定部材と接合されている個々の耳片へと切断するステップ；
　(ｇ)第１のアセンブリーステーションにおいて、個々の固定部材と接合されている個々の耳片をシャーシに接合させて多片吸収製品を形成するステップ；
　を備えており、
　第２のアセンブリーステーションにおいて耳ウエブに接合される個々の固定部材は、第１のアセンブリーステーションにおいてシャーシに接合される個々の耳片よりもシャーシの供給の方向において短く、
　第１のアセンブリーステーションにおいてシャーシに接合される個々の耳片はシャーシの供給の方向においてシャーシよりも短い、
　ことを特徴としている多片吸収製品を組み立てる方法。」
（以下、これにより特定される発明を「本願発明」という。）
　
２．引用文献
　これに対して、当審が平成１５年１１月１９日付けで通知した拒絶理由に引用した特開昭５９−７６９０２号公報（以下、「刊行物１」という）には、以下の事項が図面とともに記載されている。
（イ）「透水性トップシートと不透水性バックシートとの間に該両シートよりも幅狭い吸収性コアを介在させ、該コアの両側端から延出する該両シートによって形成されるサイドフラップ部中の長さ方向に伸長状態で伸縮部材を取り付け、かつ一方のウエスト部の両側端から締め付け用帯片を延出させるようにしてある使い捨ておむつの製法において、前記おむつ本体と前記締め付け用帯片とをそれぞれ別個に形成し、該おむつ本体の一方のウエスト部の前記サイドフラップ部に該締め付け用帯片の一側端を重ね合せて一体的に接着することを特徴とする前記おむつの製法」［特許請求の範囲（１）］
（ロ）「締め付け用帯片をシート部分と粘着テープ部分とから形成し、該シート部分をおむつ本体のサイドフラップ部に接着しかつ該粘着テープ部分を該シート部分に設ける特許請求の範囲第１項記載の使い捨ておむつの製法」［特許請求の範囲（２）］
（ハ）「締め付け用帯片の素材である連続シートに粘着テープ部分を設けておむつ本体の製造ラインにおける連続おむつ本体の搬送速度のｌ／Ｌ（ただし、ｌは個々のおむつ本体に取り付けるべき締め付け用帯片の縦の長さ、Ｌは個々のおむつ本体の縦の長さ）の速度で搬送する工程と；前記連続おむつ本体の搬送速度と同じ周面速度で回動するサクションロールと、該ロールと同じ周面速度で回動し該ロールの周面に対向配置されたカッターとを備え、該カッターの１回動ごとに前記連続シートを該サクションロールの周面上において切断して締め付け用帯片に形成するとともに、該帯片を該サクションロールに保持させ該ロールの回動で前記おむつ本体の製造ラインへ搬送する工程と；前記サクションロールの回動搬送で前記帯片の一側端を前記おむつ本体の製造ライン上に搬送される連続おむつ本体のサイドフラップ部に重ね合せ、該重ね合せ部分を該サクションロールの周面に対向配置された超音波溶着手段で一体的に溶着する工程と；からなる特許請求の範囲第１項記載の使い捨ておむつの製法」［特許請求の範囲（３）］
（二）「第５図においては、…（中略）…おむつ１本体に締め付け用帯片１７を取り付ける方法を実施するための装置の概略が示されている。図中Ａは前記おむつ１本体の製造ライン、Ｂは前記帯片１７の製造ラインを示している。」［第３頁右下欄第６〜１０行］
（ホ）「ラインＡにおいては、前記トップシート８、前記バックシート９と同幅に形成されたそれらの素材である連続シート１０８と連続シート１０９との間に前記コア１０がそれらシートの長さ方向に一定間隔をおいて…（中略）…接着剤で介在固定され、…（中略）…状態の連続おむつ本体１０１が矢標ａの方向へ一定速度で送られる。」［第３頁右下欄第１１〜１９行］
（ヘ）「ラインＢにおいては、前記締め付け用帯片１７を構成する前記シート部分１８と同幅に形成されたその素材である連続シート１１８ａ、１１８ｂの供給ロール１９ａ、１９ｂと、…（中略）…前記帯片１７を構成する前記粘着テープ部分７と同幅に形成されたその素材である連続粘着テープ１０７の供給ロール２２と、ニップロール２３と、…（中略）…第１サクションロール２４と、…（中略）…第１サクションロール２４の周面上に接触対向する第２サクションロール２５と、第１サクションロール２４に対してフリーの状態で近接対向するカッター２６と、第２サクションロール２５の周面上に近接対向する第２超音波溶着手段２７とがそれぞれ図示のごとく配置されている。」［第４頁左上欄第５〜２０行］
（ト）「ニップロール２３の送り速度は、最終的に形成されるべき個々の前記おむつ１本体に取り付けられる帯片１７の長さ（縦）をｌとし、該おむつ本体の長さをＬとすると、ラインＡにおける前記連続おむつ本体１０１の搬送速度のｌ／Ｌに設定されている。また第１サクションロール２４の周面速度は、ラインＡにおける前記連続おむつ本体１０１の搬送速度と同じく設定されている。」［第４頁左上欄第２０行〜同頁右上欄第７行］
（チ）「供給ロール１９ａ、１９ｂから矢標ｂの方向へ送り出された連続シート１１８ａ、１１８ｂは、…（中略）…一体的に溶着される。かくして一体化された連続シート１１８ｃは、…（中略）…その一側端には、ニップロール２３へ到る間に連続粘着テープ１０７が一定長さに切断されその粘着面で一体的に接着され、この切断、接着を行うための装置は図示されていないが、これは、たとえば、従来一般に使い捨ておむつの粘着テープ取り付け装置として利用されているものが配置される。」［第４頁右上欄第１２行〜同頁左下欄第４行］
（リ）「かくして一体化された帯片用連続シート１１７は、ニップロール２３を経て第１サクションロール２４に導かれる。…（中略）…ニップロール２３の送り速度は，ラインＡにおける前記連続おむつ本体１０１の搬送速度のｌ／Ｌに、かつ第１サクションロール２４の周面速度は、連続おむつ本体１０１の搬送速度と同じく設定されているから、帯片用連続シート１１７は、第１サクションロール２４の周面上でスリップしながらサクション区域Ｓ１で保持され、カッター２６で一定長さに切断される。」［第４頁左下欄第４〜１４行］
（ヌ）第１図及び第４図には、おむつ１本体の後側区域３におけるウエスト部５の両側端に縦方向において個々のおむつ１本体の長さよりも短い締め付け用帯片１７が取り付けられ、該帯片１７がシート部分１８と、該シート部分１８より短い粘着テープ部分７よりなることが示されている。
　上記の記載事項によれば、刊行物１には、下記の発明が記載されているということができる（以下、「引用発明」という。）
「（Ａ）トップシートとバックシートの素材である連続シート（１０８、１０９）が、それらの間に配置された吸収性コア（１０）を介在固定してなるおむつ（１）本体を所定の搬送速度で、サクションロール（２４、２５）、カッター（２６）及び超音波溶着手段（２７）を備えた、締め付け用帯片（１７）を構成するシート部分（１８）の素材である連続シート（１１８ｃ）を切断・接着する装置へ供給するステップ；
　（Ｂ）連続シート（１１８ｃ）をおむつ（１）本体の搬送速度のｌ／Ｌの速度で、連続粘着テープ（１０７）を切断・接着する装置へ供給するステップ；
　（Ｃ）連続粘着テープ（１０７）を前記（Ｂ）の切断・接着する装置へ供給するステップ；
　（Ｄ）連続粘着テープ（１０７）を個々の粘着テープ（７）へと切断するステップ；
　（Ｅ）前記（Ｂ）の切断・接着する装置において、個々の粘着テープ（７）を連続シート（１１８ｃ）に接着するステップ；
　（Ｆ）連続シート（１１８ｃ）をカッター（２６）で個々の粘着テープ（７）が接合されている個々の締め付け用帯片（１７）へと切断するステップ；
　（Ｇ）個々の粘着テープ（７）と接合されて個々の締め付け用帯片（１７）を構成しているシート部分（１８）を超音波溶着手段（２７）でおむつ（１）本体に接合して、使い捨ておむつを形成するステップ；
　を備えており、
　個々の粘着テープ（７）は、個々の締め付け用帯片（１７）のシート部分（１８）よりもその長さ方向、すなわち供給方向において短く、
　個々の締め付け用帯片のシート部分（１８）は、おむつ１本体よりもその長さ方向、すなわち供給方向において短い、
　使い捨ておむつの製造方法」
　
３．対比・判断
　本願発明と上記引用発明とを対比する。
　引用発明の「使い捨ておむつ」、「おむつ（１）本体」、「締め付け用帯片を構成するシート部分の素材である連続シート（１１８ｃ）」、「締め付け用帯片を構成するシート部分（１８）」、「連続粘着テープ（１０７）」及び「粘着テープ（７）」は、それぞれ、本願発明の「多片吸収製品」、「シャーシ」、「耳ウエブ」、「耳片」、「固定部材基板」及び「固定部材」に相当し、引用発明における「サクションロール（２４、２５）、カッター（２６）及び超音波溶着手段（２７）を備えた、締め付け用帯片を構成するシート部分の素材である連続シート（１１８ｃ）を切断・接着する装置」及び「連続粘着テープ（１０７）を切断・接着する装置」は、それぞれ、本願発明の「第１のアセンブリーステーション」及び「第２のアセンブリーステーション」に相当し、引用発明におけるおむつ（１）本体の供給速度を本願発明のように第１の速度Ｖ１とし、連続シート（１１８ｃ）の供給速度を第２の速度Ｖ２とすれば、Ｖ２は、Ｖ１のｌ／Ｌであり（ｌはＬより小さいので）、Ｖ１より小さいことは明らかである。してみれば、本願発明と引用発明とは、
「（ａ）トップシートと、トップシートに接続されているバックシートと、トップシートとバックシートの間に配置された吸収性コアと、を備えるシャーシを第１の速度Ｖ１で第１のアセンブリーステーションへと供給するステップ；
　（ｂ）耳ウエブを第１の速度Ｖ１よりも小さな第２の速度Ｖ２で第２のアセンブリーステーションへと供給するステップ；
　（ｃ）固定部材基板を第２のアセンブリーステーションへと供給するステップ；
　（ｄ）固定部材基板を個々の固定部材へと切断するステップ；
　（ｅ）第２のアセンブリーステーションにおいて、個々の固定部材を耳ウエブに接合するステップ；
　（ｆ）耳ウエブを個々の固定部材と接合されている個々の耳片へと切断するステップ；
　（ｇ）第１のアセンブリーステーションにおいて、個々の固定部材と接合されている個々の耳片をシャーシに接合させて多片吸収製品を形成するステップ；
を備えており、
　第２のアセンブリーステーションにおいて耳ウエブに接合される個々の固定部材は、第１のアセンブリーステーションにおいてシャーシに接合される個々の耳片よりもシャーシの供給の方向において短く、
　第１のアセンブリーステーションにおいてシャーシに接合される個々の耳片はシャーシの供給の方向においてシャーシよりも短い、
　ことを特徴とする使い捨ておむつの製造方法」
である点で一致しており、本願発明が、「固定部材基板を第２の速度Ｖ２よりも小さな第３の速度Ｖ３で第２のアセンブリーステーションへと供給する」としているのに対し、引用発明においては、連続シート（１１８ｃ）に粘着テープ（７）を取り付けるために、前記（Ｂ）の切断・接着する装置へ連続粘着テープ（１０７）を、供給する速度について記載されていない点でのみ相違している。
　そこで、相違点について検討すると、刊行物１には、連続粘着テープを切断・接着する装置としては、「従来一般に使い捨ておむつの粘着テープ取り付け装置として利用されているものが配置される」（記載（チ））と記載されているところ、一般に、長さの異なる部品を、連続して供給される長尺部材から切断して組み立てるに際して、長さの長い部品を構成する長尺物の供給経路中に、短い部品を構成する長尺物を、上記の長い部品を構成する長尺物の供給速度より小さい速度で供給し、切断しながら間欠的に上記の長い部品を構成する長尺物上に配置することは、本願出願前周知慣用の技術手段であり、該慣用手段を、引用発明における「切断・接着する装置」に適用して、連続粘着テープ（１０７）の供給速度を、連続シート（１１８ｃ）の供給速度、すなわち本願発明でいう第２の速度Ｖ２より小さい速度、すなわち本願発明でいう第３の速度Ｖ３とすることは当業者が容易になし得る事項である。
　なお、上記の慣用手段については、引用発明の前記（Ａ）の切断・接着する装置における連続シート（１１８ｃ）とおむつ（１）本体の供給速度の関係もこれに相当するほか、使い捨ておしめにファスナーを取り付ける際に、長尺のファスナー材をその供給速度より大きい速度で回転する真空ドラムに供給し、カッターホイールで所定の長さに切断し、上記真空ドラムと同じ速度で移動する、おしめの構成要素である長尺のフィルムに一定の間隔で固定するようにすることが、前記当審で通知した拒絶の理由に引用した特開平１−１６８９０１号公報にも図面とともに記載されている。［第７頁右上欄第１５行〜同頁右下欄第５行の記載参照］
　請求人は、平成１６年２月２５日付けの意見書において、３つの連続した部材から連続して使い捨ておむつを製造するのに必要な３つの連続した部材間の相対的な供給速度の関係を開示したものが示されていないことをもって、本願発明に、上記特開平１−１６８９０１号公報に示されたような手段を適用することはできない旨主張しているが、上記の本願出願前周知の技術的事項から、引用発明における連続粘着テープ（１０７）と連続シート（１１８ｃ）の相対的な供給速度の関係Ｖ３＜Ｖ２が容易に推認できる以上、引用発明に明示されたＶ２＜Ｖ１の関係とから見て、３者の関係Ｖ１＞Ｖ２＞Ｖ３も容易に推認できるので、請求人の上記主張は採用できない。
　
４．むすび
　以上のとおりであるから、本願請求項１に係る発明は、上記刊行物１に記載された発明及び本願出願前周知の技術的事項に基いて、当業者が容易に発明をすることができたものであって、許法第２９条第２項の規定により特許を受けることができない。
　したがって、他の請求項に係る発明について検討するまでもなく、本願は拒絶すべきものである。
　よって、結論のとおり審決する。